(57)【要約】      （修正有）【課題】簡易な構成であると共に、スロープの高さを容易に調整することができるスロープ装置を提供する。【解決手段】スロープ装置１は、ベース板１０と、ベース板に平行な支持軸Ｐに一端側で軸支され、支持軸周りに回動してベース板に対して傾斜するスロープ板２０と、スロープ板の反対側の端部を支持すると共に、前記端部のベース板からの高さを調整可能な高さ調整装置３０とを具備し、高さ調整装置は、ベース板から立設された支持台３１、内周面にネジ溝が形成されたネジ孔を有し、支持台によってベース板より高い位置に支持されている雌ネジ部材３２、及び、外周面にネジ山が形成された軸部３３ａを有し、軸部がネジ孔に挿通された状態で、ネジ溝に対するネジ山の螺進または螺退により、ベース板に対して垂直な方向に昇降すると共に、上端部でスロープ板の前記端部を載置する雄ネジ部材を備える。【選択図】図１
0003154296.tif 000002
【実用新案登録請求の範囲】
【請求項１】
設置面に載置されるベース板と、
該ベース板に平行な支持軸に一端側で軸支され、前記支持軸周りに回動して前記ベース板に対して傾斜するスロープ板と、
該スロープ板の前記支持軸に軸支された側とは反対側の端部を支持すると共に、前記端部の前記ベース板からの高さを調整可能な高さ調整装置とを具備し、
前記高さ調整装置は、
前記ベース板から立設された支持台、
内周面にネジ溝が形成されたネジ孔を有し、該ネジ孔が前記ベース板に対して垂直な方向に開口する向きで、前記支持台によって前記ベース板より高い位置に支持されている雌ネジ部材、及び、
外周面にネジ山が形成された軸部を有し、該軸部が前記ネジ孔に挿通された状態で、前記ネジ溝に対する前記ネジ山の螺進または螺退により、前記ベース板に対して垂直な方向に昇降すると共に、上端部で前記スロープ板の前記端部を載置する雄ネジ部材を備える
ことを特徴とするスロープ装置。
【請求項２】
前記スロープ板の前記支持軸周りの回動を規制する回動規制機構を更に具備し、
前記回動規制機構は、
一端が前記ベース板に回動自在に連結された第一アーム、及び、
一端が前記スロープ板に回動自在に連結されていると共に、他端が前記第一アームと相対的な回動自在に組み付けられている第二アームを備える
ことを特徴とする請求項１に記載のスロープ装置。
【請求項３】
前記ベース板は、前記ネジ孔の真下に前記雄ネジ部材を挿通可能な大きさに穿設された貫通孔部を備える
ことを特徴とする請求項１または請求項２に記載のスロープ装置。
【考案の詳細な説明】
【技術分野】
【０００１】
本考案は、建築現場などに存在する段差にスロープを形成するスロープ装置に関するものであり、特に、段差の高さに応じてスロープの高さを調整可能なスロープ装置に関するものである。
【背景技術】
【０００２】
建築現場や土木現場などでは、建築物が未完成であることや仮設構造物が設置されること等に起因して、人や物の通路に段差が生じることがあり、人や荷車等のスムーズな移動の障害となる。そのため、一般的な現場では、構造用合板などの板材を用い、板材の一端側を適宜の部材で持ち上げて傾斜させることにより、段差にスロープを形成している。ところが、このようなスロープでは、人や物が通過する振動で板材が支持用の部材から外れるおそれがあり、不安定である。また、段差の高さが異なれば、板材の一端側を持ち上げる部材として異なる高さの部材が必要となるため、スロープの高さの調整が困難である。
【０００３】
そこで、従来、段差にスロープを形成すると共に、スロープの高さの調整（スロープの傾斜角度の調整）が可能な装置が提案されている（特許文献１参照）。この装置は、段差の低段側の面に設置される台座と、台座の基端部に回動自在に装着された布板と、布板に回動自在に取り付けられた第一伸縮部材、及び、台座に回動自在に取り付けられた第二伸縮部材を具備しており、第二伸縮部材はネジ結合により第一伸縮部材に対して軸方向に移動自在である。かかる構成により、第二伸縮部材を第一伸縮部材に対して軸方向に移動させることにより、第一伸縮部材と第二伸縮部材との合計の長さが変化し、この長さに応じて第一伸縮部材及び第二伸縮部材がそれぞれの回動軸周りに回動すると共に、布板の傾斜角度が変化する。
【考案の概要】
【考案が解決しようとする課題】
【０００４】
しかしながら、上記の特許文献１の装置では、台座を水平な面に設置した場合、第一伸縮部材及び第二伸縮部材の軸方向は、鉛直方向に対して傾斜している。すなわち、布板上を人や物が移動する際、布板に対して鉛直下向きに作用する重力によって、鉛直方向に対して斜め方向に延びている第一伸縮部材及び第二伸縮部材に荷重がかかる。そのため、第一伸縮部材及び第二伸縮部材それぞれの回動軸部には大きな負荷がかかり、この負荷に耐えるためには、それぞれの回動軸部及び第一伸縮部材及び第二伸縮部材をかなり頑丈にしなくてはならなかった。また、布板を台座に対して回動自在とすることに加え、ネジ結合により伸縮する第一伸縮部材及び第二伸縮部材を、それぞれ台座及び布板に対して回動可能な構成としているため、装置全体の構成が非常に複雑であった。
【０００５】
加えて、特許文献１の装置では、段差の高さが異なる場合に調整すべき長さは、第一伸縮部材及び第二伸縮部材の合計の長さである。すなわち、段差の高さの相違は鉛直方向の長さであるのに対し、段差の高さの相違に応じて変化させるべき第一伸縮部材及び第二伸縮部材の長さは、鉛直方向に対して傾斜している方向の長さであり、両者の長さは同一ではない。そのため、調整すべき長さが感覚的に把握しにくく、スロープの高さの調整がしにくいという問題があった。
【０００６】
そこで、本考案は上記の実情に鑑み、簡易な構成であると共に、スロープの高さを容易に調整することができるスロープ装置の提供を、課題とするものである。
【課題を解決するための手段】
【０００７】
上記課題を解決するため、本考案にかかるスロープ装置は、「設置面に載置されるベース板と、該ベース板に平行な支持軸に一端側で軸支され、前記支持軸周りに回動して前記ベース板に対して傾斜するスロープ板と、該スロープ板の前記支持軸に軸支された側とは反対側の端部を支持すると共に、前記端部の前記ベース板からの高さを調整可能な高さ調整装置とを具備し、前記高さ調整装置は、前記ベース板から立設された支持台、内周面にネジ溝が形成されたネジ孔を有し、該ネジ孔が前記ベース板に対して垂直な方向に開口する向きで、前記支持台によって前記ベース板より高い位置に支持されている雌ネジ部材、及び、外周面にネジ山が形成された軸部を有し、該軸部が前記ネジ孔に挿通された状態で、前記ネジ溝に対する前記ネジ山の螺進または螺退により、前記ベース板に対して垂直な方向に昇降すると共に、上端部で前記スロープ板の前記端部を載置する雄ネジ部材を備える」ものである。
【０００８】
上記構成のスロープ装置では、雌ネジ部材のネジ溝に対する雄ネジ部材のネジ山の螺進または螺退により、雌ネジ部材が支持台によって支持されている高さに対して雄ネジ部材が昇降する。ここで、雌ネジ部材のネジ孔は、ベース板に対して垂直な方向に開口しているため、雄ネジ部材が昇降する方向はベース板に対して垂直な方向である。そして、雄ネジ部材の上端にスロープ板の端部が載置されるため、雄ネジ部材の昇降に伴い、スロープ板は支持軸周りに回動すると共に、雄ネジ部材に載置されている側（以下、「スロープ板の高端側」と称する）が昇降する。すなわち、ベース板に対するスロープ板の高端側の高さが変化する。
【０００９】
従って、本考案によれば、支持台によってベース板より高い位置に支持された雌ネジ部材と、雌ネジ部材のネジ溝と螺合するネジ山を有する雄ネジ部材という、極めて簡易な構成によって、スロープ板の高端側の高さを変化させることができる。これにより、段差の低段側の面にベース板を載置し、雄ネジ部材の昇降によってスロープ板の高端側の高さを段差の高段側の面の高さに合わせることにより、段差にスロープを形成することができる。また、段差の高さが異なっても、雌ネジ部材とネジ溝と雄ネジ部材との螺合により雄ネジ部材を昇降させるのみの簡易な操作で、段差の高さに応じてスロープ板の高端側の高さを容易に調整することができる。
【００１０】
加えて、本考案では、段差の高さの相違と、その相違に応じて雄ネジ部材を昇降させる高さは、同一方向の等しい長さであるため、調整すべき長さが感覚的に把握し易く、スロープの高さ調整が行い易い。
【００１１】
また、本考案では、ベース板を水平な面に載置した場合、スロープ板を載置する雄ネジ部材の軸方向は鉛直方向となる。従って、スロープ板上を人や物が移動する際にスロープ板に対して鉛直下向きに作用する重力は、鉛直方向に延びる雄ネジ部材が受けるため、雄ネジ部材がが特に太い頑丈な部材でなくても、その荷重を十分に支えることができる。
【００１２】
本考案にかかるスロープ装置は、上記構成に加え、「前記スロープ板の前記支持軸周りの回動を規制する回動規制機構を更に具備し、前記回動規制機構は、一端が前記ベース板に回動自在に連結された第一アーム、及び、一端が前記スロープ板に回動自在に連結されていると共に、他端が前記第一アームと相対的な回動自在に組み付けられている第二アームを備える」ものとすることができる。
【００１３】
上記のように、スロープ板は、高端側の端部で雄ネジ部材の上端に載置されている簡易な構成であるため、そのままでは、スロープ板上を人や物が移動する際の振動や衝撃に起因して、スロープ板が雄ネジ部の上端の高さより高く跳ね上がってしまうおそれがある。これに対し、本考案では、ベース板に連結された第一アーム及びスロープ板に連結された第二アームを介して、スロープ板がベース板に連結されている。そのため、スロープ板が支持軸周りに所定角度以上に回動することがない。すなわち、第一アーム及び第二アームを備える回動規制機構により、スロープ板の過度の跳ね上がりを防止することができる。
【００１４】
加えて、第一アームはベース板に対して回動自在であり、第二アームはスロープ板に対して回動自在であり、且つ、第一アーム及び第二アームは相対的に回動自在であるため、スロープ板の高端側を降下させる際には、両アームは近づくように回動し、スロープ板の高端側を上昇させる際には、両アームは離隔するように回動する。そのため、第一アーム及び第二アームの存在によって、スロープ板の高さの調整が妨げられることがない。
【００１５】
本考案にかかるスロープ装置は、上記構成に加え、「前記ベース板は、前記ネジ孔の真下に前記雄ネジ部材を挿通可能な大きさに穿設された貫通孔部を備える」ものとすることができる。
【００１６】
「貫通孔部」は、雄ネジ部材を挿通可能であれば、その形状及び大きさは限定されない。例えば、雄ネジ部材における最大の外径より直径が長い円形や、雄ネジ部材における最大の外径より対角線が長い四角形に、貫通孔部を形成することができる。
【００１７】
上記のように、スロープ板の高端側の高さは、ネジ溝に対するネジ山の螺進または螺退に伴う雄ネジ部材の昇降によって調整されるため、スロープ板の高さを調整することができる範囲は、雄ネジ部材においてネジ山が形成されている軸部の長さに依存する。そのため、軸部の長さの異なる雄ネジ部材を選択可能に複数種類備える構成とすれば、単一のスロープ装置であっても、スロープ板の高さを調整することができる範囲が広いものとなる。
【００１８】
ところが、雄ネジ部材が長い場合は、その交換は容易ではない。例えば、軸部を雌ネジ部材から上方に突出させ、その軸部の端部でスロープ板を載置する場合は、支持台の高さより雄ネジ部材が長いと、雌ネジ部材との螺合を解除して雄ネジ部材を支持台の下方の空間から外部に引き出すことが困難である。
【００１９】
これに対し、本考案では、ベース板においてネジ孔の真下に相当する位置に、雄ネジ部材を挿通可能な貫通孔部が設けられているため、雄ネジ部材が長い場合であっても、貫通孔部を介して容易に外部に取り出すことができる。そして同様に、長さの異なる別の種類の雄ネジ部材を貫通孔部を介して容易に挿入し、その軸部を支持台の下方からネジ孔に挿通させることができる。
【００２０】
従って、本考案によれば、長さの異なる雄ネジ部材への交換が容易なものとなり、スロープ板の高さを調整可能な範囲を広げることができる。
【考案の効果】
【００２１】
以上のように、本考案によれば、簡易な構成であると共に、スロープの高さを容易に調整することができるスロープ装置を提供することができる。
【図面の簡単な説明】
【００２２】
【図１】本考案の一実施形態のスロープ装置の（ａ）正面図、及び（ｂ）高端側から見た側面図である。
【図２】図１のスロープ装置についてスロープ板の高さを変えた場合の（ａ）正面図、及び（ｂ）高端側から見た側面図である。
【図３】ベース板及びその近傍の平面図である。
【図４】スロープ板及びその近傍の底面図である。
【図５】支持台及びその近傍の斜視図である。
【図６】他の実施形態のスロープ板及びその近傍の底面図である。
【考案を実施するための形態】
【００２３】
以下、本考案を実施するための一実施形態であるスロープ装置１について、図１乃至図５に基づいて説明する。スロープ装置１は、主に図１及び図２に示すように、設置面に載置されるベース板１０と、ベース板１０に平行な支持軸Ｐに一端側で軸支され、支持軸Ｐ周りに回動してベース板１０に対して傾斜するスロープ板２０と、スロープ板２０の支持軸Ｐに軸支された側とは反対側の端部を支持すると共に、前記端部のベース板１０からの高さを調整可能な高さ調整装置３０とを具備し、高さ調整装置３０は、ベース板１０から立設された支持台３１、内周面にネジ溝が形成されたネジ孔３２ｈを有し、ネジ孔３２ｈがベース板１０に対して垂直な方向に開口する向きで、支持台３１によってベース板１０より高い位置に支持されている雌ネジ部材３２、及び、外周面にネジ山が形成された軸部３３ａを有し、軸部３３ａがネジ孔３２ｈに挿通された状態で、ネジ溝に対するネジ山の螺進または螺退により、ベース板１０に対して垂直な方向に昇降すると共に、上端部でスロープ板２０の端部を載置する雄ネジ部材３３を備えている。
【００２４】
より詳細に説明すると、スロープ板２０は長方形の鋼板であり、人や物が移動する通路となる上面には、滑り止めの凹凸が形成されている。また、スロープ板２０の裏面には、図３に示すように、スロープ板２０の曲げ剛性を高めるために、断面コ字形の補強部材２１ａ，２１ｂが複数溶接されている。ここで、複数の補強部材２１ａ，２１ｂのうち一対の補強部材２１ａは、スロープ板２０の長辺とほぼ同じ長さであり、それぞれスロープ板２０の一対の長辺の一方に沿うように設けられている。
【００２５】
ベース板１０は、スロープ板２０と同じく鋼板で長方形に形成されており、図４に示すように、その上面には支持軸Ｐを取り付ける断面コ字形の取付部材１１が一対設けられている。この取付部材１１の幅（ベース板１０の短辺方向の長さ）は、スロープ板２０の裏面において長辺に沿うように一対設けられている上記の補強部材２１ａの幅よりやや狭く設定されている。そして、補強部材２１ａの側面間に取付部材１１が嵌め込まれた状態で、補強部材２１ａの側面及び取付部材１１の側面がベース板１０に平行に延びる支持軸Ｐによって軸支されている。これにより、補強部材２１ａ及び取付部材１１を介して、スロープ板２０がベース板１０に対して支持軸Ｐによって回動自在に軸支された構成となっている。なお、ベース板１０の中央部には、良好な設置性を損なわない程度に設置面との接触面積が確保された上で、ベース板１０を軽量化するための孔部１７が穿設されている。
【００２６】
ベース板１０の上面において、取付部材１１が設けられている側とは反対側の端部の角部には、一対の支持台３１が立設されている。ここで支持台３１は、ベース板１０から立ち上がる四つの支持壁３１ａ，３１ｂ，３１ｃ，３１ｄと、雌ネジ部材３２が設けられた支持台天板３１ｔを有する構成であり、四つの支持壁３１ａ，３１ｂ，３１ｃ，３１ｄのうちベース板１０の外周辺に沿った二つの支持壁３１ａ，３１ｂは、支持台天板３１ｔの下方の空間に手や工具を差し入れて雄ネジ部の回転操作を行い易くするために、大きく切り欠かれている。
【００２７】
支持台天板３１ｔには、貫通する孔部（図示しない）が穿設されており、この孔部とネジ孔３２ｈとが連通するように、雌ネジ部材３２が支持台天板３１ｔに取り付けられ、溶接により支持台３１と一体化されている。一方、雄ネジ部材３３は、外周面にネジ山が形成された軸部３３ａの一端に六角の頭部３３ｈが設けられたボルトであり、その軸部３３ａは支持台天板３１ｔの下方からネジ孔３２ｈに挿通されている。
【００２８】
ベース板１０には、図５に示すように、雄ネジ部材３３を挿通可能な大きさの貫通孔部１５が穿設されている。この貫通孔部１５が穿設されている位置は、ベース板１０においてネジ孔３２ｈの真下、換言すれば、ネジ孔３２ｈに挿通された軸部３３ａの延長線上である。なお、本実施形態の貫通孔部１５は、雄ネジ部材３３の頭部３３ｈの外径より直径が大径の円形に形成されている。
【００２９】
更に、ベース板１０には、スロープ板２０の支持軸Ｐに軸支されている側の端部（以下、「スロープ板２０の低端」と称する）に隣接して、傾斜角度が固定された第二スロープ板４０が設けられている。具体的には、ベース板１０からは一対の取付部材１１にそれぞれ隣接して、正面視直角三角形の第二スロープ板支持部材４１が一対立設されており、この第二スロープ板支持部材４１に第二スロープ板４０が架け渡されるように溶接されている。ここで、本実施形態では、第二スロープ板４０の高端側の高さはスロープ板２０の低端の高さとほぼ等しい設定とされると共に、第二スロープ板４０の低端の高さはベース板１０の底面より僅かに高い設定、換言すれば、設置面より僅かに高い設定とされている。
【００３０】
また、本実施形態のスロープ装置１は、運搬のために手で把持する把持部６０を備えている。この把持部６０は略Ｕ字形で、二対が設けられており、その内の一対は支持台３１に隣接してベース板１０から立設された一対の把持部支持部材１６に、それぞれ一つずつ取り付けられている。また、他の一対の把持部６０は、一対の第二スロープ板支持部材４１の側面に、それぞれ一つずつ取り付けられている。
【００３１】
ここで、把持部支持部材１６及び第二スロープ板支持部材４１には、Ｕ字形の把持部６０の両端を挿通するための貫通する孔部１８が穿設されており、この孔部１８に把持部６０を挿通した状態で、把持部６０の両端に孔部１８より大径の抜け止め６１が設けられている。かかる構成により、把持部６０の湾曲部分を孔部１８から引き出して把持することにより、スロープ装置１を運搬することができる。また、把持部６０の不使用時には、孔部１８を介して奥に向かって押し込むようにすれば、把持部支持部材１６及び第二スロープ板支持部材４１より外方に把持部６０が突出して邪魔になることが防止される。
【００３２】
更に、本実施形態では、スロープ装置１はスロープ板２０の支持軸Ｐ周りの回動を規制する回動規制機構５０を更に具備しており、回動規制機構５０は、一端がベース板１０に回動自在に連結された第一アーム５１と、一端がスロープ板２０に回動自在に連結されていると共に、他端が第一アーム５１と相対的な回動自在に組み付けられている第二アーム５２とを備えている。具体的には、第一アーム５１は軸Ｐ１によって把持部支持部材１６を介してベース板１０に軸支されており、第二アーム５２は軸Ｐ２によって補強部材２１ａの側面を介してスロープ板２０に軸支されており、第一アーム５１及び第二アーム５２は軸Ｐ３によって回動自在に組み付けられている。
【００３３】
上記構成のスロープ装置１で段差にスロープを形成するときは、まず、段差の低段側の面にベース板１０を載置する。そして、支持台３１の支持壁３１ａ，３１ｂにおいて切り欠かれている部分から、手またはレンチなどの工具を差し入れ、雄ネジ部材３３の頭部３３ｈを回転させる。これにより、雄ネジ部材３３の軸部３３ａのネジ山が雌ネジ部材３２のネジ溝に対して進退することにより、雄ネジ部材３３が昇降し、雌ネジ部材３２から上方に突出する雄ネジ部材３３の軸部３３ａの端部（以下、「雄ネジ部材３３の軸端３３ｅ」と称する）の位置が昇降する。このようにして、軸端３３ｅの高さが昇降することにより、軸端３３ｅに載置されるスロープ板２０は支持軸Ｐ周りに回動し、スロープ板２０の高端側の高さが変化するため、スロープ板２０の高端側の高さと段差の高段側の面とが同じ高さとなるように調整することができる。
【００３４】
なお、雄ネジ部材３３の高さ調整をし終えた段階で、ナット３９を軸端３３ｅ側から雌ネジ部材３２の上端に当接するまで締め付けることにより、雄ネジ部材３３の高さを、調整された高さに安定的に保持することができる。
【００３５】
段差の高さが異なる場合は、上記と同様の操作により、雄ネジ部材３３の軸端３３ｅの高さを変化させることにより、スロープ板２０の高端側の高さを変化させることができる。例えば、図１に示すように、雄ネジ部材３３の頭部３３ｈが支持台天板３１ｔの裏面に当接するまで雄ネジ部材３３を上昇させれば、雌ネジ部材３２から上方に突出する軸部３３ａの長さが最長となり、軸端３３ｅの高さが最も高くなるため、スロープ板２０の高端側の高さを最も高くすることができる。
【００３６】
なお、このようにスロープ板２０の高端側が高くなるように変位する際、スロープ板２０は支持軸Ｐ周りに図示反時計回りに回動し、これに伴って第一アーム５１が軸Ｐ１周りに図示時計回りに回動すると共に、第二アーム５２は軸Ｐ２周りに図示反時計回りに回動し、第一アーム５１と第二アーム５２はそれぞれ離隔するように軸Ｐ３周りに相反する方向に回動する。
【００３７】
一方、図２に示すように、雄ネジ部材３３の頭部３３ｈが貫通孔部１５を介して設置面に当接するまで雄ネジ部材３３を下降させれば、雌ネジ部材３２から上方に突出する軸部３３ａの長さが最短となり、軸端３３ｅの高さが最も低くなるため、スロープ板２０の高端側の高さを最も低くすることができる。
【００３８】
なお、このようにスロープ板２０の高端側の高さが低くなるように変位する際、スロープ板２０は支持軸Ｐ周りに図示時計回りに回動し、これに伴って第一アーム５１が軸Ｐ１周りに図示反時計回りに回動すると共に、第二アーム５２は軸Ｐ２周りに図示時計回りに回動し、第一アーム５１と第二アーム５２はそれぞれ接近するように軸Ｐ３周りに相反する方向に回動する。
【００３９】
上記のように、本実施形態のスロープ装置１によれば、支持台３１によってベース板１０より高い位置に支持された雌ネジ部材３２と、雌ネジ部材３２のネジ溝と螺合するネジ山を有する雄ネジ部材３３という、極めて簡易な構成によって、スロープ板２０の高端側の高さを変化させることができる。
【００４０】
また、段差の高さが異なる場合も、雄ネジ部材３３を回転させて昇降させるのみの簡易な操作で、段差の高さに応じてスロープ板２０の高端側の高さを容易に調整することができる。この際、段差の高さの相違と、これに応じて変化させるべき軸端３３ｅの高さは、同一方向で等しい長さであるため、調整すべき長さが感覚的に把握し易く、スロープの高さの調整が行い易い。
【００４１】
更に、本実施形態では、ベース板１０を水平な面に載置した場合、スロープ板２０上を人や物が移動する際に鉛直下方向に作用する重力は、軸方向が鉛直方向と一致する雄ネジ部材３３で受けるため、雄ネジ部材３３が特に太く頑丈な部材でなくても、その荷重を十分に支えることができる。
【００４２】
また、雄ネジ部材３３の軸端３３ｅに載置されているスロープ板２０は、第一アーム５１及び第二アーム５２を介してベース板１０に連結されているため、スロープ板２０上を人や物が移動する際の振動や衝撃に起因して、スロープ板２０が過度に跳ね上がることが防止されている。そして、このようにスロープ板２０とベース板１０とを連結しているアーム部材５１，５２が存在していても、第一アーム５１はベース板１０に対して、第二アーム５２はスロープ板２０に対してそれぞれ回動自在であり、且つ、第一アーム５１及び第二アーム５２は相対的に回動自在であるため、スロープ板２０の支持軸Ｐ周りの回動運動は、第一アーム５１及び第二アーム５２の存在によって妨げられることがない。
【００４３】
加えて、雄ネジ部材３３として軸部３３ａの長さの異なるボルトに交換することにより、スロープ板２０の高端側の高さを調整可能な範囲が広いものとなる。例えば、支持台の高さが約１２０ｍｍの場合、軸部の長さが約１２５ｍｍの雄ネジ部材を使用する場合は、スロープ板の高端側の高さを１５０〜２６０ｍｍの範囲で調整することができ、軸部の長さが約１６０ｍｍの雄ネジ部材を使用する場合は、スロープ板の高端側の高さを１９０〜３００ｍｍの範囲で調整することができる。また、支持台の高さが約５５ｍｍの場合、軸部の長さが約６０ｍｍの雄ネジ部材を使用する場合は、スロープ板の高端側の高さを７５〜１１５ｍｍの範囲で調整することができ、軸部の長さが約９０ｍｍの雄ネジ部材を使用する場合は、スロープ板の高端側の高さを１１５〜１５０ｍｍの範囲で調整することができる。
【００４４】
そして、ベース板１０にはネジ孔３２ｈの真下に相当する位置に貫通孔部１５が形成されているため、支持台３１の高さより長い雄ネジ部材３３であっても、貫通孔部１５を介して取り外すことができ、軸部３３ａの長さの異なる雄ネジ部材３３に容易に交換することができる。
【００４５】
また、スロープ板２０は支持軸Ｐ周りに回動する構成であることから、スロープ板２０の低端は自ずと設置面より高い位置になるところ、本実施形態ではスロープ板２０の低端に隣接して、傾斜角度が固定された第二スロープ板４０が設けられており、第二スロープ板４０の高端はスロープ板２０の低端とほぼ等しく、第二スロープ板４０の低端は設置面より僅かに高い設定とされている。そのため、段差における不連続な高低差は、スロープ板２０及び第二スロープ板４０によって連続的に変化する傾斜となり、人や物がスムーズに移動することが可能となっている。
【００４６】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４７】
例えば、スロープ板２０の裏面には、雄ネジ部材３３の軸端３３ｅを受ける軸端受け部を設けることができる。ここで、軸端受け部としては、図６に示すように、雄ネジ部材３３の軸端３３ｅを嵌め込むように受ける凹状の軸端受け部２５や、雄ネジ部材３３の軸端３３ｅの横揺れを規制する立壁状の軸端受け部２６を例示することができる。このような、軸端受け部を備えることにより、スロープ板２０上を人や物が移動する際の振動や衝撃に伴って、雄ネジ部材３３の軸端３３ｅがスロープ板２０に当接する位置がずれることに起因して、雄ネジ部材３３によるスロープ板２０の載置状態が不安定になることが防止される。
【００４８】
また、上記では、雄ネジ部材３３が軸端３３ｅを上方に向けてネジ孔３２ｈに挿通される場合を図示と共に例示したが、逆に、軸端３３ｅを下方に向けるように雄ネジ部材３３がネジ孔３２ｈに挿通されるものであってもよい。この場合、雄ネジ部材３３が上記のように頭部３３ｈを有するボルトであれば、スロープ板２０の高端側は雄ネジ部材３３の頭部３３ｈによって載置されることとなる。
【００４９】
なお、本考案のスロープ装置１は単体で用いることも、複数を並設して使用することもでき、複数を並設することにより幅広のスロープを形成することができる。
【符号の説明】
【００５０】
１  スロープ装置
１０  ベース板
２０  スロープ板
３０  高さ調整装置
３１  支持台
３２  雌ネジ部材
３２ｈ  ネジ孔
３３  雄ネジ部材
３３ａ  軸部
５０  回動規制機構
５１  第一アーム
５２  第二アーム
Ｐ  支持軸
【先行技術文献】
【特許文献】
【００５１】
【特許文献１】特許第４０９４５６１号公報
【図１】
0003154296.tif 000003
【図２】
0003154296.tif 000004
【図３】
0003154296.tif 000005
【図４】
0003154296.tif 000006
【図５】
0003154296.tif 000007
【図６】
0003154296.tif 000008